【手続補正書】
【提出日】平成17年12月21日(2005.12.21)
【手続補正１】
【補正対象書類名】明細書
【補正対象項目名】特許請求の範囲
【補正方法】変更
【補正の内容】
【特許請求の範囲】
【請求項１】  ポリオレフィン系樹脂（ａ）９９．９０〜９６．９０重量％と、２，５−ビス［５−ｔ−ブチルベンゾオキザゾリル（２）］チオフェン（ｂ）０．０２〜０．７０重量％と、分子中にトリアジンを含有する化合物（ｃ）０．０２〜０．５０重量％と、分子量が４００以上であるベンゾトリアゾール系紫外線吸収剤（ｄ）０．０２〜０．７０重量％と、ヒンダードアミン系光安定剤（ｆ）０．０２〜０．７０重量％と、フォスファイト系抗酸化剤（ｇ）０．０２〜０．５０重量％とからなる樹脂組成物。
【請求項２】  ポリオレフィン系樹脂（ａ）９９．９０〜９６．７０重量％と、２，５−ビス［５−ｔ−ブチルベンゾオキザゾリル（２）］チオフェン（ｂ）０．０２〜０．７０重量％と、分子量が４００以上であるベンゾトリアゾール系紫外線吸収剤（ｄ）０．０２〜０．７０重量％と、ベンゾエート系紫外線吸収剤（ｅ）０．０２〜０．７０重量％と、ヒンダードアミン系光安定剤（ｆ）０．０２〜０．７０重量％と、フォスファイト系抗酸化剤（ｇ）０．０２〜０．５０重量％とからなる樹脂組成物。
【請求項３】  ポリオレフィン系樹脂（ａ）９９．８８〜９６．２０重量％と、２，５−ビス［５−ｔ−ブチルベンゾオキザゾリル（２）］チオフェン（ｂ）０．０２〜０．７０重量％と、分子中にトリアジンを含有する化合物（ｃ）０．０２〜０．５０重量％と、分子量が４００以上であるベンゾトリアゾール系紫外線吸収剤（ｄ）０．０２〜０．７０重量％と、ベンゾエート系紫外線吸収剤（ｅ）０．０２〜０．７０重量％と、ヒンダードアミン系光安定剤（ｆ）０．０２〜０．７０重量％と、フォスファイト系抗酸化剤（ｇ）０．０２〜０．５０重量％とからなる樹脂組成物。
【請求項４】  前記ポリオレフィン系樹脂（ａ）がポリプロピレン系樹脂であることを特徴とする請求項１〜３のいずれか１項に記載の樹脂組成物。
【請求項５】  分子中にトリアジンを含有する化合物（ｃ）が２−（４，６−ジフェニル−１，３，５−トリアジン−２−イル）−５−［（ヘキシル）オキシ］−フェノールあるいは２−［４，６−ビス（２，４−ジメチルフェニル）−１，３，５−トリアジン−２−イル］−５−（オクチルオキシ）−フェノールの単独あるいは併用であることを特徴とする請求項１又は３に記載の樹脂組成物。
【請求項６】  前記分子量が４００以上であるベンゾトリアゾール系紫外線吸収剤（ｄ）が２，２’−メチレンビス［４−（１，１，３，３−テトラメチルブチル）−６−（２Ｎ−ベンゾトリアゾール−２−イル）フェノール］あるいは２−［２−ヒドロキシ−３，５−ビス（α，α−ジメチルベンジル）フェニル］−２Ｈ−ベンゾトリアゾールの単独あるいは併用であることを特徴とする請求項１〜３のいずれか１項に記載の樹脂組成物。
【請求項７】  ベンゾエート系紫外線吸収剤（ｅ）が２，４−ジ−ｔ−ブチルフェニル−３’，５’−ジ−ｔ−ブチル−４’−ヒドロキシベンゾエートであることを特徴とする請求項２又は３に記載の樹脂組成物。
【請求項８】  ヒンダードアミン系光安定剤（ｆ）がコハク酸ジメチル−１−（２−ヒドロキシルエチル）−４−ヒドロキシ−２，２，６，６−テトラメチルピペリジン重縮合物あるいはポリ［｛６−（１，１，３，３−テトラメチルブチル）アミノ−１，３，５−トリアジン−２，４−ジイル｝｛（２，２，６，６−テトラメチル−４−ピペリジル）イミノ｝ヘキサメチレン｛（２，２，６，６−テトラメチル−４−ピペリジル）イミノ｝］あるいはポリ｛［６−モルフォリノ−１，３，５−トリアジン−２，４−ジイル］［４−（２，２，６，６−テトラメチルピペリジル）イミノヘキサメチレン］［４−（２，２，６，６−テトラメチルピペリジル）イミノ］｝の単独あるいは併用であることを特徴とする請求項１〜３のいずれか１項に記載の樹脂組成物。
【請求項９】  フォスファイト系抗酸化剤（ｇ）がトリス（２，４−ジ−ｔ−ブチルフェニル）フォスファイトあるいは２−［［２，４，８，１０−テトラキス（１，１−ジメチルエチル）ジベンゾ［ｄ，ｆ］［１，３，２］ジオキサフォスフェピン−６−イル］オキシ］−Ｎ，Ｎ−ビス［２−［［２，４，８，１０−テトラキス（１，１−ジメチルエチル）ジベンゾ［ｄ，ｆ］［１，３，２］ジオキサフォスフェピン−６−イル］オキシ］−エチル］エタナミンあるいはテトラキス（２，４−ジ−ｔ−ブチルフェニル）−４，４’−ビフェニレンジフォスフォナイトの単独あるいは併用であることを特徴とする請求項１〜３のいずれか１項に記載の樹脂組成物。
【請求項１０】  上記請求項１〜９のいずれか１項に記載の樹脂組成物を使用してなる成形体。
【手続補正２】
【補正対象書類名】明細書
【補正対象項目名】０００７
【補正方法】変更
【補正の内容】
【０００７】
【課題を解決するための手段】
上記課題を解決すべく鋭意検討を重ねた結果、ポリオレフィン系樹脂（ａ）と、２，５−ビス［５−ｔ−ブチルベンゾオキザゾリル（２）］チオフェン（ｂ）と、分子量が４００以上であるベンゾトリアゾール系紫外線吸収剤（ｄ）と、ヒンダードアミン系光安定剤（ｆ）と、フォスファイト系抗酸化剤（ｇ）とを必須成分とし、さらにその必須成分に、分子中にトリアジンを含有する化合物（ｃ）又はベンゾエート系紫外線吸収剤（ｅ）を加えた樹脂組成物が良好な特性を示すことを見出し、本発明をなすに至った。
【手続補正３】
【補正対象書類名】明細書
【補正対象項目名】０００８
【補正方法】削除
【補正の内容】
【手続補正４】
【補正対象書類名】明細書
【補正対象項目名】０００９
【補正方法】削除
【補正の内容】
【手続補正５】
【補正対象書類名】明細書
【補正対象項目名】００１０
【補正方法】削除
【補正の内容】
【手続補正６】
【補正対象書類名】明細書
【補正対象項目名】００１１
【補正方法】変更
【補正の内容】
【００１１】
即ち、第１の発明は、この様な樹脂組成物において、ポリオレフィン系樹脂（ａ）９９．９０〜９６．９０重量％と、２，５−ビス［５−ｔ−ブチルベンゾオキザゾリル（２）］チオフェン（ｂ）０．０２〜０．７０重量％と、分子中にトリアジンを含有する化合物（ｃ）０．０２〜０．５０重量％と、分子量が４００以上であるベンゾトリアゾール系紫外線吸収剤（ｄ）０．０２〜０．０７重量％と、ヒンダードアミン系光安定剤（ｆ）０．０２〜０．７０重量％と、フォスファイト系抗酸化剤（ｇ）０．０２〜０．５０重量％とからなる樹脂組成物を提供するものである。
【手続補正７】
【補正対象書類名】明細書
【補正対象項目名】００１２
【補正方法】変更
【補正の内容】
【００１２】
また、第２の発明は、この様な樹脂組成物において、ポリオレフィン系樹脂（ａ）９９．９０〜９６．７０重量％と、２，５−ビス［５−ｔ−ブチルベンゾオキザゾリル（２）］チオフェン（ｂ）０．０２〜０．７０重量％と、分子量が４００以上であるベンゾトリアゾール系紫外線吸収剤（ｄ）０．０２〜０．７０重量％と、ベンゾエート系紫外線吸収剤（ｅ）０．０２〜０．７０重量％と、ヒンダードアミン系光安定剤（ｆ）０．０２〜０．７０重量％と、フォスファイト系抗酸化剤（ｇ）０．０２〜０．５０重量％とからなる樹脂組成物を提供するものである。
【手続補正８】
【補正対象書類名】明細書
【補正対象項目名】００１３
【補正方法】変更
【補正の内容】
【００１３】
さらに、第３の発明は、この様な組成物において、ポリオレフィン系樹脂（ａ）９９．８８〜９６．２０重量％と、２，５−ビス［５−ｔ−ブチルベンゾオキザゾリル（２）］チオフェン（ｂ）０．０２〜０．７０重量％と、分子中にトリアジンを含有する化合物（ｃ）０．０２〜０．５０重量％と、分子量が４００以上であるベンゾトリアゾール系紫外線吸収剤（ｄ）０．０２〜０．７０重量％と、ベンゾエート系紫外線吸収剤（ｅ）０．０２〜０．７０重量％と、ヒンダードアミン系光安定剤（ｆ）０．０２〜０．７０重量％と、フォスファイト系抗酸化剤（ｇ）０．０２〜０．５０重量％とからなる樹脂組成物を提供するものである。
【手続補正９】
【補正対象書類名】明細書
【補正対象項目名】００１４
【補正方法】削除
【補正の内容】
【手続補正１０】
【補正対象書類名】明細書
【補正対象項目名】００１５
【補正方法】削除
【補正の内容】
【手続補正１１】
【補正対象書類名】明細書
【補正対象項目名】００１６
【補正方法】削除
【補正の内容】
【手続補正１２】
【補正対象書類名】明細書
【補正対象項目名】００１７
【補正方法】削除
【補正の内容】
【手続補正１３】
【補正対象書類名】明細書
【補正対象項目名】００１８
【補正方法】削除
【補正の内容】
【手続補正１４】
【補正対象書類名】明細書
【補正対象項目名】００１９
【補正方法】削除
【補正の内容】
【手続補正１５】
【補正対象書類名】明細書
【補正対象項目名】００２０
【補正方法】削除
【補正の内容】
【手続補正１６】
【補正対象書類名】明細書
【補正対象項目名】００２１
【補正方法】削除
【補正の内容】
【手続補正１７】
【補正対象書類名】明細書
【補正対象項目名】００２２
【補正方法】変更
【補正の内容】
【００２２】
そして、上記の樹脂組成物自体を用い、またはこの樹脂組成物を含有させた成形用素材を用いることによってシート、フィルム、筺体等の各種の成形物を得ることができ、それらは、長期にわたって４００ｎｍから２００ｎｍの紫外線領域の波長光を吸収し、プレートアウトやブリードアウトが生じず、かつ耐ＮＯｘ性に優れ、透明性を有するものとすることができる。
【手続補正１８】
【補正対象書類名】明細書
【補正対象項目名】００２４
【補正方法】変更
【補正の内容】
【００２４】
本発明の樹脂組成物は、ポリオレフィン系樹脂（ａ）と、２，５−ビス［５−ｔ−ブチルベンゾオキザゾリル（２）］チオフェン（ｂ）と、分子量が４００以上であるベンゾトリアゾール系紫外線吸収剤（ｄ）と、ヒンダードアミン系光安定剤（ｆ）と、フォスファイト系抗酸化剤（ｇ）とを必須成分とし、さらにその必須成分に、分子中にトリアジンを含有する化合物（ｃ）又はベンゾエート系紫外線吸収剤（ｅ）を加えた樹脂組成物である。
【手続補正１９】
【補正対象書類名】明細書
【補正対象項目名】００２５
【補正方法】変更
【補正の内容】
【００２５】
本発明の樹脂組成物において、前記（ｂ）成分の配合比率は、樹脂組成物中０．０２〜０．７０重量％である。（ｂ）成分の配合比率が、０．０２重量％未満であると十分な紫外線領域の波長光に対する吸収特性が得られず、０．７０重量％を超えるとプレートアウトが生ずる。また、前記（ｄ）成分の配合比率は、樹脂組成物中０．０２〜０．７０重量％である。（ｄ）成分の配合比率が、０．０２重量％未満であると十分な紫外線領域の波長光に対する吸収特性が得られず、０．７０重量％を超えるとプレートアウトが生ずる。さらに、前記（ｆ）成分の配合比率は、樹脂組成物中０．０２〜０．７０重量％であり、前記（ｇ）成分の配合比率は、樹脂組成物中０．０２〜０．５０重量％である。これらの（ｆ）成分および（ｇ）成分の配合により耐候安定性および加工時の耐熱安定性さらに耐ＮＯｘ性を向上することができる。
【手続補正２０】
【補正対象書類名】明細書
【補正対象項目名】００２６
【補正方法】変更
【補正の内容】
【００２６】
本発明の樹脂組成物においては、上記の（ａ）成分、（ｂ）成分、（ｄ）成分、（ｆ）成分および（ｇ）成分の他に、分子中にトリアジンを含有する化合物（ｃ）又はベンゾエート系紫外線吸収剤（ｅ）を配合する。前記（ｃ）成分を配合する場合の配合比率は、樹脂組成物中０．０２〜０．５０重量％である。（ｃ）成分の配合比率が、０．０２重量％未満であると十分な紫外線領域の波長光に対する吸収特性が得られず、０．５０重量％を超えるとブリードアウトが生ずる。また、前記（ｅ）成分を配合する場合の配合比率は、樹脂組成物中０．０２〜０．７０重量％である。（ｅ）成分の配合比率が、０．０２重量％未満であると十分な紫外線領域の波長光に対する吸収特性が得られず、０．７０重量％を超えるとプレートアウトが生ずる。
【手続補正２１】
【補正対象書類名】明細書
【補正対象項目名】００２７
【補正方法】変更
【補正の内容】
【００２７】
本発明の樹脂組成物において、ポリオレフィン系樹脂（ａ）の樹脂組成物中の配合比率は、前記（ｂ）成分、（ｃ）成分、（ｄ）成分、（ｅ）成分、（ｆ）成分および（ｇ）成分の配合比率の合計を樹脂組成物１００重量％から差し引いた残部となる。具体的には、必須成分である（ａ）成分、（ｂ）成分、（ｄ）成分、（ｆ）成分および（ｇ）成分に加え、（ｃ）成分を配合した場合の（ａ）成分の配合比率は、樹脂組成物中９９．９０〜９６．９０重量％である。また、必須成分である（ａ）成分、（ｂ）成分、（ｄ）成分、（ｆ）成分および（ｇ）成分に加え、（ｅ）成分を配合した場合の（ａ）成分の配合比率は、樹脂組成物中９９．９０〜９６．７０重量％である。さらに、必須成分である（ａ）成分、（ｂ）成分、（ｄ）成分、（ｆ）成分および（ｇ）成分に加え、（ｃ）成分および（ｅ）成分を配合した場合の（ａ）成分の配合比率は、樹脂組成物中９９．８８〜９６．２０重量％である。
【手続補正２２】
【補正対象書類名】明細書
【補正対象項目名】００２８
【補正方法】削除
【補正の内容】
【手続補正２３】
【補正対象書類名】明細書
【補正対象項目名】００２９
【補正方法】削除
【補正の内容】
【手続補正２４】
【補正対象書類名】明細書
【補正対象項目名】００３０
【補正方法】変更
【補正の内容】
【００３０】
（ａ）成分として用いられるポリオレフィン系樹脂としては、透明性を有するポリプロピレン、ポリエチレン、エチレン−酢酸ビニル共重合体、エチレン−エチルアクリレート共重合体等のポリオレフィン系樹脂が使用可能である。
【手続補正２５】
【補正対象書類名】明細書
【補正対象項目名】００３３
【補正方法】変更
【補正の内容】
【００３３】
（ｄ）成分として用いられるベンゾトリアゾール系紫外線吸収剤は、ブリードし難いことから、分子量は４００以上である。このベンゾトリアゾール系紫外線吸収剤の中でも、紫外線領域の波長光の吸収特性から２，２’−メチレンビス［４−（１，１，３，３−テトラメチルブチル）−６−（２Ｎ−ベンゾトリアゾール−２−イル）フェノール］あるいは２−［２−ヒドロキシ−３，５−ビス（α，α−ジメチルベンジル）フェニル］−２Ｈ−ベンゾトリアゾールが最も好適である。
【手続補正２６】
【補正対象書類名】明細書
【補正対象項目名】００３５
【補正方法】変更
【補正の内容】
【００３５】
（ｆ）成分として用いられるヒンダードアミン系光安定剤としては、コハク酸ジメチル−１−（２−ヒドロキシルエチル）−４−ヒドロキシ−２，２，６，６−テトラメチルピペリジン重縮合物、ポリ［｛６−（１，１，３，３−テトラメチルブチル）アミノ−１，３，５−トリアジン−２，４−ジイル｝｛（２，２，６，６−テトラメチル−４−ピペリジル）イミノ｝ヘキサメチレン｛（２，２，６，６−テトラメチル−４−ピペリジル）イミノ｝］、ポリ｛［６−モルフォリノ−１，３，５−トリアジン−２，４−ジイル］［４−（２，２，６，６−テトラメチルピペリジル）イミノヘキサメチレン］［４−（２，２，６，６−テトラメチルピペリジル）イミノ］｝、ビス（２，２，６，６−テトラメチル−４−ピペリジル）セバケート、テトラキス（２，２，６，６−テトラメチル−４−ピペリジル）−１，２，３，４−ブタンテトラカルボキシレート等が好適である。特にコハク酸ジメチル−１−（２−ヒドロキシルエチル）−４−ヒドロキシ−２，２，６，６−テトラメチルピペリジン重縮合物、ポリ［｛６−（１，１，３，３−テトラメチルブチル）アミノ−１，３，５−トリアジン−２，４−ジイル｝｛（２，２，６，６−テトラメチル−４−ピペリジル）イミノ｝ヘキサメチレン｛（２，２，６，６−テトラメチル−４−ピペリジル）イミノ｝］、ポリ｛［６−モルフォリノ−１，３，５−トリアジン−２，４−ジイル］［４−（２，２，６，６−テトラメチルピペリジル）イミノヘキサメチレン］［４−（２，２，６，６−テトラメチルピペリジル）イミノ］｝が好適である。また、ブリードし難い点で分子量が１５００以上のものであることがより好適である。
【手続補正２７】
【補正対象書類名】明細書
【補正対象項目名】００３７
【補正方法】変更
【補正の内容】
【００３７】
本発明の樹脂組成物において、光安定剤等の添加剤（ｂ）、（ｃ）、（ｄ）、（ｅ）、（ｆ）、（ｇ）を請求項１から３の比率でより高濃度化する事が可能である。こうして得られたマスターバッチを熱可塑性樹脂に添加し使用することができる。
【手続補正２８】
【補正対象書類名】明細書
【補正対象項目名】００４０
【補正方法】変更
【補正の内容】
【００４０】
【発明の効果】
本発明の樹脂組成物は、Ｔダイ、インフレーション等の押出成形や射出成形等の加工が容易であるので、該樹脂組成物自体を用い、または該樹脂組成物を含有させた成形用素材を用いることによって、シート、フィルム、筺体等の各種の成形物を得ることができる。また、本発明の樹脂組成物は、長期にわたって４００ｎｍから２００ｎｍの紫外線領域の波長光を吸収し紫外線領域の波長光を透過せず、プレートアウトやブリードアウトが生じず、かつ耐ＮＯｘ性に優れ、透明性を有することから防虫駆除
農業用フィルム、化粧品等の包装フィルム、ショーウィンドウ、紫外線保護容器、建築材料等幅広い分野で使用することができる。また、他の素材との組み合わせにより、より広い用途に使用可能である。
【手続補正２９】
【補正対象書類名】明細書
【補正対象項目名】００４２
【補正方法】変更
【補正の内容】
【００４２】
実施例１〜１１，比較例１〜１３
表１〜５に記載した成分および配合比率で、タンブラーにより混合した後、３０ｍｍφの二軸ベント式押出機で溶融混練後、ペレット化した。このペレットを用いて、Ｔダイ押出により成形し、０．３ｍｍ厚のシート状試験片を作成した。各特性の評価は以下の方法で実施し、評価結果は表１〜５に併せて記載した。
【手続補正３０】
【補正対象書類名】明細書
【補正対象項目名】００４３
【補正方法】変更
【補正の内容】
【００４３】
（１）成形性：Ｔダイにて２３０℃で押出試験を実施し、加工性を評価した。
（２）ブリード試験：シートを４０℃のギヤ式オーブンに７日間放置し、ブリードの有無を目視にて確認した。
（３）紫外線透過：４００〜２００ｎｍの紫外線領域の波長光の透過率を０．３ｍｍ厚シートで測定。透過する波長の有無と透過波長（単位ｎｍ）を表示。
（４）黄変試験：ＪＩＳ  Ｌ  ０８５５弱試験に準拠して実施した。
【手続補正３１】
【補正対象書類名】明細書
【補正対象項目名】００４４
【補正方法】変更
【補正の内容】
【００４４】
表１〜５で明らかなように、実施例１〜１１の本発明の樹脂組成物では、０．３ｍｍ厚のシートにおいて４００ｎｍから２００ｎｍの紫外線領域の波長光での透過は見られない。また、ヒンダードアミン系光安定剤およびフォスファイト系抗酸化剤の添加により、耐ＮＯｘによる黄変特性が改良される。
【手続補正３２】
【補正対象書類名】明細書
【補正対象項目名】００４６
【補正方法】変更
【補正の内容】
【００４６】
分子中にトリアジンを含有する化合物、およびフォスファイト系抗酸化剤とも、０．６０重量％添加でブリードアウト現象を生ずる。また、２，５−ビス［５−ｔ−ブチルベンゾオキザゾリル（２）］チオフェン、ベンゾトリアゾール系紫外線吸収剤、ベンゾエート系紫外線吸収剤とも０．８０重量％添加するとプレートアウト現象を生ずる。また、ヒンダードアミン系光安定剤単独では１．０重量％添加しても紫外線領域の波長光すべてを吸収することはできない。
【手続補正３３】
【補正対象書類名】明細書
【補正対象項目名】００４９
【補正方法】変更
【補正の内容】
【００４９】
ベンゾトリアゾール系紫外線吸収剤で分子量が４００未満である２−（３−ｔ−ブチル−５−メチル−２−ヒドロキシフェニル）−５−クロロベンゾトリアゾール等を添加すると、ブリード現象を生ずる。
【手続補正３４】
【補正対象書類名】明細書
【補正対象項目名】００５０
【補正方法】変更
【補正の内容】
【００５０】
表中の略号の説明
ＰＰ：メルトインデックス４（２３０℃、２．１６ｋｇ）、比重０．９１のホモポリプロピレン
ＰＥ：メルトインデックス３（１９０℃、２．１６ｋｇ）、比重０．９２の低密度ポリエチレン
ＯＢ：２，５−ビス［５−ｔ−ブチルベンゾオキザゾリル（２）］チオフェン
ＴＡ１：２−（４，６−ジフェニル−１，３，５−トリアジン−２−イル）−５−［（ヘキシル）オキシ］−フェノール
ＴＡ２：２−［４，６−ビス（２，４−ジメチルフェニル）−１，３，５−トリアジン−２−イル］−５−（オクチルオキシ）−フェノール
ＢＴ１：２，２′−メチレンビス［４−（１，１，３，３−テトラメチルブチル）−６−（２Ｎ−ベンゾトリアゾール−２−イル）フェノール］
ＢＴ２：２−［２−ヒドロキシ−３，５−ビス（α，α−ジメチルベンジル）フェニル］−２Ｈ−ベンゾトリアゾール
ＢＴ３：２−（３−ｔ−ブチル−５−メチル−２−ヒドロキシフェニル）−５−クロロベンゾトリアゾール
ＢＡ：２，４−ジ−ｔ−ブチルフェニル−３’，５’−ジ−ｔ−ブチル−４’−ヒドロキシベンゾエート
ＨＡＬＳ１：ポリ｛［６−モルフォリノ−１，３，５−トリアジン−２，４−ジイル］［４−（２，２，６，６−テトラメチルピペリジル）イミノヘキサメチレン］［４−（２，２，６，６−テトラメチルピペリジル）イミノ］｝
ＨＡＬＳ２：コハク酸ジメチル−１−（２−ヒドロキシルエチル）−４−ヒドロキシ−２，２，６，６−テトラメチルピペリジン重縮合物
ＨＡＬＳ３：ポリ［｛６−（１，１，３，３−テトラメチルブチル）アミノ−１，３，５−トリアジン−２，４−ジイル｝｛（２，２，６，６−テトラメチル−４−ピペリジル）イミノ｝ヘキサメチレン｛（２，２，６，６−テトラメチル−４−ピペリジル）イミノ｝］
Ｐ１：トリス（２，４−ジ−ｔ−ブチルフェニル）フォスファイト
Ｐ２：２−［［２，４，８，１０−テトラキス（１，１−ジメチルエチル）ジベンゾ［ｄ，ｆ］［１，３，２］ジオキサフォスフェピン−６−イル］オキシ］−Ｎ，Ｎ−ビス［２−［［２，４，８，１０−テトラキス（１，１−ジメチルエチル）ジベンゾ［ｄ，ｆ］［１，３，２］ジオキサフォスフェピン−６−イル］オキシ］−エチル］エタナミン
Ｐ３：テトラキス（２，４−ジ−ｔ−ブチルフェニル）−４，４’−ビフェニレンジフォスフォナイト
ＺｎＯ：微粒子酸化亜鉛（粒子径０．０１０μｍ〜０．０３０μｍ）
【手続補正３５】
【補正対象書類名】明細書
【補正対象項目名】００５１
【補正方法】変更
【補正の内容】
【００５１】
【表１】
2000191918.tif 000001
【手続補正３６】
【補正対象書類名】明細書
【補正対象項目名】００５２
【補正方法】変更
【補正の内容】
【００５２】
【表２】
2000191918.tif 000002
【手続補正３７】
【補正対象書類名】明細書
【補正対象項目名】００５３
【補正方法】変更
【補正の内容】
【００５３】
【表３】
2000191918.tif 000003
【手続補正３８】
【補正対象書類名】明細書
【補正対象項目名】００５４
【補正方法】変更
【補正の内容】
【００５４】
【表４】
2000191918.tif 000004
【手続補正３９】
【補正対象書類名】明細書
【補正対象項目名】００５５
【補正方法】変更
【補正の内容】
【００５５】
【表５】
2000191918.tif 000005
【手続補正４０】
【補正対象書類名】明細書
【補正対象項目名】００５６
【補正方法】削除
【補正の内容】
【手続補正４１】
【補正対象書類名】明細書
【補正対象項目名】００５７
【補正方法】削除
【補正の内容】
【手続補正４２】
【補正対象書類名】明細書
【補正対象項目名】００５８
【補正方法】削除
【補正の内容】
【手続補正４３】
【補正対象書類名】明細書
【補正対象項目名】００５９
【補正方法】削除
【補正の内容】